(57)【要約】      （修正有）【課題】共用のバルブ本体を使用して、これに必要に応じてボール弁体ユニット或いはケレップ組立体を取付けて、ボールリフト式逆止弁或いはケレップ式止水栓を構成することができる、リプレースバルブを提供する。【解決手段】バルブ本体１は内部を仕切り壁により上流側室と下流側室とに仕切られ、仕切り壁には連通孔１７とその周囲上面側に凹所が形成される。下流側室の上部は開口して雌ネジを備えた弁挿入穴となっている。ボール弁体ユニット２５はボール２６を収受する籠体２７とその上に配置されるキャップとを備える。ボール弁体ユニットを弁挿入穴から挿入して取付けることにより、ボールリフト式逆止弁４１が構成される。ケレップ組立体は、取付け部材とスピンドルとケレップとを備え、ケレップ組立体を弁挿入穴から挿入して取付けることによりケレップ式止水栓が構成される。【選択図】図３
0003191324.tif 000002
【実用新案登録請求の範囲】
【請求項１】
内部の室が仕切り壁により下側の上流側室と上側の下流側室とに仕切られ、前記上流側室と下流側室にそれぞれ連通する上流側連通口と下流側連通口と、前記仕切り壁に形成された連通孔と、前記仕切り壁の前記下流側室側において前記連通孔の周囲に前記連通孔と同心に形成された凹所と、前記下流側室の上部に形成され、前記連通孔と同心に形成された雌ネジを備えた弁挿入穴とを備えていることを特徴とする、バルブ本体。
【請求項２】
請求項１記載のバルブ本体に取付けられてボールリフト式逆止弁を構成するボール弁体ユニットにおいて、該ボール弁体ユニットは、上下に貫通し、周壁に複数の開口を有する籠体と、該籠体の下端部に取付けられる弾性材料製の弁座部材と、該弁座部材に離着座可能に前記籠体内に収受されるボールと、前記籠体の上に配置されて前記籠体の上部を塞ぐキャップとを備え、前記キャップは前記バルブ本体の弁挿入穴の雌ネジに螺合する雄ネジと、該雄ネジの上部に形成された鍔部とを備え、前記キャップの雄ネジを前記バルブ本体の雌ネジに螺合することにより、前記弁座部材の外周近傍部を前記籠体の下端部と前記凹所の底面との間で圧縮し、前記鍔部と前記バルブ本体の弁挿入穴周囲の面とでそれらの間に配置されたガスケットを圧縮する構成となっていることを特徴とする、ボール弁体ユニット。
【請求項３】
前記弁座部材の外径と前記籠体の下端部の外径は、前記凹所の内径にほぼ等しく形成されていることを特徴とする、ボール弁体ユニット。
【請求項４】
請求項１記載のバルブ本体に取付けられてケレップ式止水栓を構成するケレップ組立体において、該ケレップ組立体は、前記バルブ本体の雌ネジに螺合可能な雄ネジと該雄ネジの上部に形成された鍔部とを備えた筒状の取付け部材と、該取付け部材の孔に挿通され、前記取付け部材の内周に形成された雌ネジに螺合可能な雄ネジを備えたスピンドルと、該スピンドルの下端側に形成された孔に軸方向移動可能に挿通される軸部と該軸部下端に形成された前記軸部より径大の押圧部とを備えた弾性材料製のケレップとを備え、前記バルブ本体の雌ネジに前記取付け部材の雄ネジを螺合して取付け、前記鍔部と前記バルブ本体の弁挿入穴周囲の面とでそれらの間に配設されたガスケットを圧縮し、さらに、前記スピンドルを下方へ移動することにより前記ケレップの押圧部を前記スピンドルの下端面と前記バルブ本体の凹所の底面との間で圧縮して止水することができるように構成されていることを特徴とする、ケレップ組立体。
【請求項５】
請求項４記載のケレップ組立体において、前記ケレップの押圧部の下面側に、前記バルブ本体の連通孔の周囲で延びる円環状の突起を備え、前記押圧部の外径は前記バルブ本体の凹所の内周より小さく形成されていることを特徴とする、ケレップ組立体。
【請求項６】
内部の室が仕切り壁により下側の上流側室と上側の下流側室とに仕切られ、前記上流側室と下流側室にそれぞれ連通する上流側連通口と下流側連通口と、前記仕切り壁に形成された連通孔と、前記仕切り壁の前記下流側室側において前記連通孔の周囲に前記連通孔と同心に形成された凹所と、前記下流側室の上部に形成され、前記連通孔と同心に形成された雌ネジを備えた弁挿入穴とを備えているバルブ本体と、
上下に貫通し、周壁に複数の開口を有する籠体と、該籠体の下端部に取付けられる弾性材料製の弁座部材と、該弁座部材に離着座可能に前記籠体内に収受されるボールと、前記籠体の上に配置されて前記籠体の上部を塞ぐキャップとを備え、前記キャップは前記バルブ本体の弁挿入穴の雌ネジに螺合する雄ネジと、該雄ネジの上部に形成された鍔部とを備え、前記キャップの雄ネジを前記バルブ本体の雌ネジに螺合することにより、前記弁座部材の外周近傍部を前記籠体の下端部と前記凹所の底面との間で圧縮し、前記鍔部と前記バルブ本体の弁挿入穴周囲の面とでそれらの間に配置されたガスケットを圧縮する構成となっているボール弁体ユニットと、
前記バルブ本体の雌ネジに螺合可能な雄ネジと該雄ネジの上部に形成された鍔部とを備えた筒状の取付け部材と、該取付け部材の孔に挿通され、前記取付け部材の内周に形成された雌ネジに螺合可能な雄ネジを備えたスピンドルと、該スピンドルの下端側に形成された孔に軸方向移動可能に挿通される軸部と該軸部下端に形成された前記軸部より径大の押圧部とを備えた弾性材料性のケレップとを備え、前記バルブ本体の雌ネジに前記取付け部材の雄ネジを螺合して取付け、前記鍔部と前記バルブ本体の弁挿入穴周囲の面とでそれらの間に配設されたガスケットを圧縮し、さらに、前記スピンドルを下方へ移動することにより前記ケレップの押圧部を前記スピンドルの下端面と前記バルブ本体の凹所の底面との間で圧縮して止水することができるように構成されているケレップ組立体と、
の組合せからなる、リプレースバルブ。
【考案の詳細な説明】
【技術分野】
【０００１】
本願考案は、水道の配管においてメータの下流側に設けられるバルブとして使用されるボールリフト式逆止弁とケレップ式止水栓との両方に共用可能なバルブ本体に関する。さらに本願考案は、そのような共用可能なバルブ本体と、該バルブ本体と組合わせることによりボールリフト式逆止弁或いはケレップ式止水栓を構成するボール弁体ユニットとケレップ組立体に関する。さらにはそのようなバルブ本体とボール弁体ユニットとケレップ組立体との組合せからなるリプレースバルブに関する。
【背景技術】
【０００２】
水道の配管で、メータの下流側に下流側から上流側への逆流を防止するために逆止弁が使用される。そのような逆止弁として、ボールリフト式逆止弁がある。また、水道の流れを止める弁としてケレップ式止水栓が知られている。水道事業体によっては、従前使用していた逆止弁をケレップ式止水栓に変更したいとの要望がある。水道の配管において、メータ及びその上流側の配管は水道事業者の持ち分で、水道事業者により管理されている。一方メータより下流側は需要者の持ち分である。メータの下流側に設けられる弁がケレップ式止水栓であると、その操作も簡単であり、長期不在となる場合など、需要者が操作して止水することができ、便利である。この場合、逆止弁とケレップ式止水栓とで、弁本体を共用化できるようにしておき、それに取付けられる逆止弁体ユニットとケレップ組立体とのいずれもが取付けられるようにしておくと便宜である。本願出願人において調査したが、そのような技術に言及した文献は見出せなかった。
【考案の概要】
【考案が解決しようとする課題】
【０００３】
本願考案は上記従来の問題点に鑑みなされたものであり、水道の配管においてメータの下流側に設けられるバルブとして使用されるボールリフト式逆止弁とケレップ式止水栓との両方に共用可能なバルブ本体を提供する。さらに本願考案は、そのような共用可能なバルブ本体と組合わせることによりボールリフト式逆止弁或いはケレップ式止水栓を構成するボール弁体ユニットとケレップ組立体を提供する。さらにはそのようなバルブ本体とボール弁体ユニットとケレップ組立体との組合せからなるリプレースバルブを提供する。
【課題を解決するための手段】
【０００４】
上記課題を解決するために本願考案は、内部の室が仕切り壁により下側の上流側室と上側の下流側室とに仕切られ、前記上流側室と下流側室にそれぞれ連通する上流側連通口と下流側連通口と、前記仕切り壁に形成された連通孔と、前記仕切り壁の前記下流側室側において前記連通孔の周囲に前記連通孔と同心に形成された凹所と、前記下流側室の上部に形成され、前記連通孔と同心に形成された雌ネジを備えた弁挿入穴とを備えていることを特徴とする、バルブ本体を提供する。
さらに本願考案は、上記のバルブ本体に取付けられてボールリフト式逆止弁を構成するボール弁体ユニットにおいて、該ボール弁体ユニットは、上下に貫通し、周壁に複数の開口を有する籠体と、該籠体の下端部に取付けられる弾性材料製の弁座部材と、該弁座部材に離着座可能に前記籠体内に収受されるボールと、前記籠体の上に配置されて前記籠体の上部を塞ぐキャップとを備え、前記キャップは前記バルブ本体の弁挿入穴の雌ネジに螺合する雄ネジと、該雄ネジの上部に形成された鍔部とを備え、前記キャップの雄ネジを前記バルブ本体の雌ネジに螺合することにより、前記弁座部材の外周近傍部を前記籠体の下端部と前記凹所の底面との間で圧縮し、前記鍔部と前記バルブ本体の弁挿入穴周囲の面とでそれらの間に配置されたガスケットを圧縮する構成となっていることを特徴とする、ボール弁体ユニットを提供する。
さらに本願考案は、上記のバルブ本体に取付けられてケレップ式止水栓を構成するケレップ組立体において、該ケレップ組立体は、前記バルブ本体の雌ネジに螺合可能な雄ネジと該雄ネジの上部に形成された鍔部とを備えた筒状の取付け部材と、該取付け部材の孔に挿通され、前記取付け部材の内周に形成された雌ネジに螺合可能な雄ネジを備えたスピンドルと、該スピンドルの下端側に形成された孔に軸方向移動可能に挿通される軸部と該軸部下端に形成された前記軸部より径大の押圧部とを備えた弾性材料製のケレップとを備え、前記バルブ本体の雌ネジに前記取付け部材の雄ネジを螺合して取付け、前記鍔部と前記バルブ本体の弁挿入穴周囲の面とでそれらの間に配設されたガスケットを圧縮し、さらに、前記スピンドルを下方へ移動することにより前記ケレップの押圧部を前記スピンドルの下端面と前記バルブ本体の凹所の底面との間で圧縮して止水することができるように構成されていることを特徴とする、ケレップ組立体を提供する。
さらに本願考案は、上記のバルブ本体と、ボール弁体ユニットと、ケレップ組立体との
組合せからなる、リプレースバルブを提供する。
【考案の効果】
【０００５】
上記のとおり、本考案によれば、バルブ本体に対して必要に応じてボール弁体ユニット或いはケレップ組立体を取付けて、ボールリフト式逆止弁或いはケレップ式止水栓を構成することが可能であり、さらに交換に際して何らの追加的な部材は必要とされず、その交換作業もきわめて簡単な作業であり、きわめて便利である。
【図面の簡単な説明】
【０００６】
【図１】本考案に係るバルブ本体の縦断面図である。
【図２】本考案に係るボール弁体ユニットの縦断面図である。
【図３】図１のバルブ本体に図２のボール弁体ユニットを組付けたボールリフト式逆止弁の縦断面図である。
【図４】本考案に係るケレップ組立体の正面断面図である。
【図５】図１のバルブ本体に図４のケレップ組立体を組付けたケレップ式止水栓の縦断面図である。
【考案を実施するための形態】
【０００７】
以下に図面を参照して本願考案の実施の形態について説明する。図１は本願考案の実施の形態に係るバルブ本体であり、内部に室３を備えている。その室３内は、仕切り壁５により図示のように下側の上流側室７と上側の下流側室９とに分けられている。バルブ本体１にはその左側及び右側に、それぞれ上流側室７、下流側室９に通じる上流側連通口１１、下流側連通口１３が形成されている。下流側室９の上部は後述するボール弁体ユニット或いはケレップ組立体を取付けるために開口した弁挿入穴１５となっており、そこには雌ネジ１６が刻まれている。また、仕切り壁５には、弁挿入穴１５及び雌ネジ１６と同心で連通孔１７が形成され、仕切り壁５の上面側で連通孔１７の周囲にザグリが施されて底面２０、側壁２１を備えた円形の凹所１９となっている。凹所１９も弁挿入穴１５と同心になっている。
【０００８】
図２は本実施の形態に係るボール弁体ユニット２５を示す縦断面図である。このボール弁体ユニット２５は、下側に配置されてボール２６を収受する籠体２７を備え、籠体２７は略円筒状であり、側壁２７には複数の開口２８が形成されている。また、籠体２７の下側の開口にはボール２６が離着座する、弾性材料で作られた円環状で断面L字状の弁座部材２９が取付けられている。籠体２７の下端部の外径と弁座部材２９の外径とは略同じ寸法になっている。籠体２７の上側には薄いリング状のガスケット３０を間にしてキャップ３１が配置され、ボール２６が籠体２７から外に出ないようにしている。キャップ３１の下部には、バルブ本体１の弁挿入穴１５の雌ネジ１６に螺合する雄ネジ３３が形成されている。また、雄ネジ３３の上端部に形成された鍔部３４の下側に配置されているのは、このボール弁体ユニット２５を前述のバルブ本体１に取付けた時にバルブ本体１の弁挿入穴１５の周囲の面との間をシールするガスケットである。
【０００９】
図３は、図２のボール弁体ユニット２５をバルブ本体１に取付けて構成したボールリフト式逆止弁４１の縦断面図である。その組立て方は、先ず、籠体２７内にボール２６を収受した状態で籠体２７をバルブ本体１の弁挿入穴１５から挿入し、凹所１９に着座させる。凹所１９の径と、籠体２７の下端部の外径、弁座部材２９の外径はほぼ同じになっている。次いで、キャップ２５を挿入し、その雄ネジ３３をバルブ本体１の雌ネジ１６に螺合させ、締め付ける。これにより籠体２７を押さえつけ、弁座部材２９のフランジ部２９aを凹所１９の底面２０と籠体２７の下端面との間で圧縮してこの部分をシールする。同時にガスケット３０，３５をも圧縮してそれぞれの部分をシールする。下流側の栓が開かれるなどして水が流れるときにはボール２６を押し上げて流れ、栓が閉じられるとボール２６が弁座部材２９に着座して逆流を防止する。
【００１０】
図４はケレップ組立体５１の断面図である。ケレップ組立体５１は、貫通孔を有し、外周側にフランジ５４とその下側に形成された雄ネジ５５とを備えた取付け部材５３を備えている。貫通孔の下側部分には雌ネジ５６が形成されている。取付け部材５３の上側の部分は径が細くなり、外周に雄ネジが形成され、この雄ネジに螺合してキャップ５７が取付けられている。キャップ５７には後述するスピンドル５９が通る穴が開いている。フランジ５４の下面側にはリング状のガスケット５８が配置されている。取付け部材５３とキャップ５７を通ってスピンドル５９が取付けられ、その上端にはハンドル６０がボルト６１を用いて取付けられている。取付け部材５３の上端側では、スピンドル５９と取付け部材５３との間にパッキン６２が配設されており、両者の間をシールしている。スピンドル５９の下端側には取付け部材５３の雌ネジ５６に螺合する雄ネジ６３が形成されており、スピンドル５９を回転させるとスピンドル５９は取付け部材５３に対して上下動する。スピンドル５９の下端側には所定の深さの孔が形成されており、そこにケレップ６４の軸部６５が滑らかに上下移動できるように嵌っている。そしてその下側の径の大きくなった当接部６６の下面側の外周部に円環状に延びる突起６７が形成されている。ケレップ６４は弾性材料で作られている。
【００１１】
図５は図４のケレップ組立体５１を図１のバルブ本体１に組付けて構成したケレップ式止水弁７１の断面図である。その組立て方は、図４の状態のケレップ組立体５１をバルブ本体１の弁挿入穴１５に挿入し、取付け部材５３をその雄ネジ５５をバルブ本体１の雌ネジ１６に螺合させて回転させ、ガスケット５８を所定量だけ圧縮するように締め付ける。或いは、ケレップ６４を先にバルブ本体の凹所１９に連通孔１７を塞ぐように配置し、ハンドル６０を回してスピンドル５９を図４の状態より下方へ突出させ、その状態で弁挿入穴１５に差し込み、その際にスピンドル５９の下端側の孔７０にケレップ６４の軸部６５を嵌め込み、その状態で取付け部材５３を回転してバルブ本体１に取付けるようにしてもよい。通常の使用状態ではスピンドルは図示のように上方に位置し、ケレップ６４はその押圧部６６が、円環状の突起６７が連通孔１７を囲むようにして、凹所１９の底面２０上に着座している。下流側の栓が開かれると、水はケレップ６４を上方へ押し上げて下流側へ流れる。このケレップ式止水栓７１で止水する場合には、ハンドル６０を回転してスピンドル５９を下方へ移動し、スピンドル５９の下端面でケレップ６４の押圧部６６を押付け、突起６７を凹所１９の底面２０に圧着して止水する。なお、押圧部６６の外径は凹所１９の周壁の径より小さくなっており、十分に押圧部６６を押圧することができる。
【図１】
0003191324.tif 000003
【図２】
0003191324.tif 000004
【図３】
0003191324.tif 000005
【図４】
0003191324.tif 000006
【図５】
0003191324.tif 000007
【手続補正書】
【提出日】平成26年4月16日(2014.4.16)
【手続補正１】
【補正対象書類名】実用新案登録請求の範囲
【補正対象項目名】請求項３
【補正方法】変更
【補正の内容】
【請求項３】
請求項２記載のボール弁体ユニットにおいて、前記弁座部材の外径と前記籠体の下端部の外径は、前記凹所の内径にほぼ等しく形成されていることを特徴とする、ボール弁体ユニット。